(57)【要約】【課題】加湿能力の低下を抑えることができる空気調和機の室内機を提供する。【解決手段】  第１発明に係る空気調和機の室内機２ａは、ケーシング２５と、室内熱交換器２０と、送風ファン２１と、加湿部材１４ａと、加熱部１７とを備える。ケーシング２５は、吸込み口１１と、吹出し口１２と、吸込み口１１と吹出し口１２とを繋ぐ通風路とを有する。室内熱交換器２０は、通風路を通る空気との間で熱交換を行う。室内送風ファン２１は、吸込み口１１から吸い込まれ通風路を通り吹出し口１２から吹き出される空気の流れを生成する。加湿部材１４ａは、通風路内に設けられており、透湿膜から形成され内部に水を貯留する袋状の部材である。加熱部１７は、加湿部材１４ａの内部に設けられ、加湿部材１４ａ内に貯留された水を加熱する。【選択図】図２
2008241060.tif 000002
【特許請求の範囲】
【請求項１】
吸込み口と、吹出し口と、前記吸込み口と前記吹出し口とを繋ぐ通風路とを有するケーシング（２５）と、
前記通風路を通る空気との間で熱交換を行う熱交換器（２０）と、
前記吸込み口から吸い込まれ前記通風路を通り前記吹出し口から吹き出される空気の流れを生成する送風ファン（２１）と、
前記通風路内に設けられており、透湿膜から形成され内部に水を貯留する袋状の加湿部材（１４ａ−１４ｌ）と、
前記加湿部材（１４ａ−１４ｌ）の内部に設けられ、前記加湿部材（１４ａ−１４ｌ）内に貯留された水を加熱する加熱部（１７）と、
を備える空気調和機の室内機（２ａ−２ｄ）。
【請求項２】
前記熱交換器（２０）は、ヒートポンプ式の冷媒回路の一部を構成し、冷媒と空気との間で熱交換を行うものであり、
前記加熱部（１７）は、前記熱交換器（２０）に送られるガス冷媒を利用して前記加湿部材（１４ａ−１４ｌ）内に貯留された水を加熱する、
請求項１に記載の空気調和機の室内機（２ａ−２ｄ）。
【請求項３】
前記加湿部材（１４ａ−１４ｌ）は、前記通風路において、前記熱交換器（２０）より空気流れの下流側に設けられている、
請求項１または２に記載の空気調和機の室内機（２ａ−２ｄ）。
【請求項４】
前記加湿部材（１４ａ−１４ｌ）は平坦な外形を有している、
請求項１から３のいずれかに記載の空気調和機の室内機（２ａ−２ｄ）。
【請求項５】
前記加湿部材（１４ａ−１４ｌ）は、傾斜して配置されており、
前記加湿部材（１４ａ−１４ｌ）の下部には、前記加湿部材（１４ａ−１４ｌ）の内部から水を排出するための排水口（１６）が設けられている、
請求項１から４のいずれかに記載の空気調和機の室内機（２ａ−２ｄ）。
【請求項６】
前記加湿部材（１４ａ−１４ｌ）の下端部に設けられ水を吸収する吸水部材（５２）をさらに備える、
請求項１から５のいずれかに記載の空気調和機の室内機（２ａ−２ｄ）。
【発明の詳細な説明】
【技術分野】
【０００１】
本発明は、空気調和機の室内機に関する。
【背景技術】
【０００２】
空気調和機では、吸込し口と吹出し口とを繋ぐ通風路が内部に形成され、通風路を通る空気が熱交換器によって加熱又は冷却されて吹出し口から吹き出されることにより、室内の冷暖房が行われる。また、通風路を流れる空気に水蒸気を供給する加湿部材が備えられることにより、室内の加湿を行うことができる空気調和機器も利用されている。例えば、特許文献１に示される空気調和機では、透湿膜を有する加湿部と、加湿部に水を供給する給水装置とが設けられており、透湿膜を透過した水蒸気により空気が加湿される。
【特許文献１】特開２００５−１０６４２２号公報
【発明の開示】
【発明が解決しようとする課題】
【０００３】
上記のような空気調和機では、加湿能力を向上させるために、給水装置において水を加熱して、温水を加湿部に供給することが考えられる。しかし、この場合、水の蒸発潜熱が大きいため、加湿部の温度が低下して加湿能力が低下する恐れがある。
【０００４】
本発明の課題は、加湿能力の低下を抑えることができる空気調和機の室内機を提供することにある。
【課題を解決するための手段】
【０００５】
第１発明に係る空気調和機の室内機は、ケーシングと、熱交換器と、送風ファンと、加湿部材と、加熱部とを備える。ケーシングは、吸込み口と、吹出し口と、吸込み口と吹出し口とを繋ぐ通風路とを有する。熱交換器は、通風路を通る空気との間で熱交換を行う。送風ファンは、吸込み口から吸い込まれ通風路を通り吹出し口から吹き出される空気の流れを生成する。加湿部材は、通風路内に設けられており、透湿膜から形成され内部に水を貯留する袋状の部材である。加熱部は、加湿部材の内部に設けられ、加湿部材内に貯留された水を加熱する。
【０００６】
この空気調和機の室内機では、袋状の加湿部材の内部に貯留された水が水蒸気となり加湿部材を透過して通風路に流れる。これにより、通風路を通る空気が加湿される。このとき、加湿部材内に貯留された水は、加熱部によって暖められるため、加湿部材からの加湿量が増大する。また、加熱部は、加湿部材内に設けられているため、加湿部材内の水と共に加湿部材を暖めることができる。このため、加湿部の温度の低下が抑えられ、加湿能力の低下が抑えられる。また、加湿能力の低下が抑えられるため、加湿部材が小型化されても必要な加湿量を容易に確保することができる。
【０００７】
第２発明に係る空気調和機の室内機は、第１発明の空気調和機の室内機であって、熱交換器は、ヒートポンプ式の冷媒回路の一部を構成し、冷媒と空気との間で熱交換を行うものである。そして、加熱部は、熱交換器に送られるガス冷媒を利用して加湿部材内に貯留された水を加熱する。
【０００８】
この空気調和機の室内機では、熱交換器に送られるガス冷媒の熱により、加湿部材内に貯留された水が加熱される。このため、電気式のヒーターが別途設けられる場合と比べて、消費電力を低減することができる。
【０００９】
第３発明に係る空気調和機の室内機は、第１発明または第２発明の空気調和機の室内機であって、加湿部材は、通風路において、熱交換器より空気流れの下流側に設けられている。
【００１０】
この空気調和機の室内機では、加湿部材が熱交換器よりも下流に設けられるため、熱交換器によって暖められた空気が加湿部材の近傍を通過する。これにより、加湿部材を加熱することができ、加湿量を増大させることができる。
【００１１】
第４発明に係る空気調和機の室内機は、第１発明から第３発明のいずれかの空気調和機の室内機であって、加湿部材は平坦な外形を有している。
【００１２】
この空気調和機の室内機では、加湿部材が平坦な外形を有しているため、加湿部材による空気抵抗を低減させることができる。これにより、通風路を流れる空気の圧損を低減することができる。
【００１３】
第５発明に係る空気調和機の室内機は、第１発明から第４発明のいずれかの空気調和機の室内機であって、加湿部材は、傾斜して配置されており、加湿部材の下部には、加湿部材の内部から水を排出するための排水口が設けられている。
【００１４】
この空気調和機の室内機では、加湿部材が傾斜して配置されるため、加湿部材の下部に設けられた排水口から内部の水を容易に排出させることができる。
【００１５】
第６発明に係る空気調和機の室内機は、第１発明から第５発明のいずれかの空気調和機の室内機であって、加湿部材の下端部に設けられ水を吸収する吸水部材をさらに備える。
【００１６】
この空気調和機の室内機では、加湿部材の下端部に給水部材が設けられているため、加湿部材から漏れた水を吸水部材が受けることができる。また、吸水部材に吸水された水が気化することによって、通風路を通る空気を加湿することができる。
【発明の効果】
【００１７】
第１発明に係る空気調和機の室内機では、加湿部材内に貯留された水が、加熱部によって暖められるため、加湿部材からの加湿量が増大する。また、加熱部は、加湿部材内に設けられているため、加湿部材内の水と共に加湿部材を暖めることができる。このため、加湿部の温度の低下が抑えられ、加湿能力の低下が抑えられる。また、加湿能力の低下が抑えられるため、加湿部材が小型化されても必要な加湿量を容易に確保することができる。
【００１８】
第２発明に係る空気調和機の室内機では、熱交換器に送られるガス冷媒の熱により、加湿部材内に貯留された水が加熱される。このため、電気式のヒーターが別途設けられる場合と比べて、消費電力を低減することができる。
【００１９】
第３発明に係る空気調和機の室内機では、加湿部材が熱交換器よりも下流に設けられるため、熱交換器によって暖められた空気が加湿部材の近傍を通過する。これにより、加湿部材を加熱することができ、加湿量を増大させることができる。
【００２０】
第４発明に係る空気調和機の室内機では、加湿部材が平坦な外形を有しているため、加湿部材による空気抵抗を低減させることができる。これにより、通風路を流れる空気の圧損を低減することができる。
【００２１】
第５発明に係る空気調和機の室内機では、加湿部材が傾斜して配置されるため、加湿部材の下部に設けられた排水口から内部の水を容易に排出させることができる。
【００２２】
第６発明に係る空気調和機の室内機では、加湿部材の下端部に給水部材が設けられているため、加湿部材から漏れた水を吸水部材が受けることができる。また、吸水部材に吸水された水が気化することによって、通風路を通る空気を加湿することができる。
【発明を実施するための最良の形態】
【００２３】
＜第１実施形態＞
〔構成〕
本発明の一実施形態が採用された空気調和機１の室内機２ａを図１および図２に示す。この空気調和機１の室内機２ａは、室内の壁面などに取り付けられる壁掛け型の室内機であり、室外に設置される室外機３と接続される。室内機２ａ内には室内熱交換器２０が収納され、室外機３内には室外熱交換器３０が収納されており、空気調和機１には、主として、室内熱交換器２０、アキュムレータ３１、圧縮機３２、四路切換弁３３、室外熱交換器３０および電動膨張弁３４によってヒートポンプ式の冷媒回路が構成されている。なお、図１は、室内機２ａと室外機３との冷媒回路図であり、図２は、室内機２ａの側面断面図である。
【００２４】
室外機３には、上述した圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、液閉鎖弁３５を介して外部配管４１に接続されており、この外部配管４１は、室内機２ａに設けられた液配管２３を介して室内熱交換器２０の一端と接続される。また、四路切換弁３３は、ガス閉鎖弁３６を介して外部配管４２に接続されており、この外部配管４２は、室内機２ａに設けられたガス配管２４を介して室内熱交換器２０の他端と接続されている。また、室外機３には、室外熱交換器３０での熱交換後の空気を外部に排出するための室外送風ファン３８が設けられている。室外送風ファン３８は、室外ファンモータ３９によって回転駆動される。
【００２５】
室内機２ａは、ケーシング２５（図２参照）と、室内熱交換器２０と、送風装置２６と、加湿部２７とを備える。
【００２６】
図２に示すケーシング２５は、室内熱交換器２０、送風装置２６（図１参照）、加湿部２７（図１参照）などを内部に収納している。ケーシング２５の上面には、吸込み口１１が設けられており、ケーシング２５の下部には、吹出し口１２が設けられている。ケーシング２５の内部には、吸込み口１１と吹出し口１２とを繋ぐ通風路が設けられている。また、ケーシング２５の内部には、スクロール部１３が形成されている。スクロール部１３は、緩やかに湾曲した形状を有し、通風路の一部を構成している。スクロール部１３は、後述する室内送風ファン２１が配置された位置から吹出し口１２までに亘って設けられており、室内送風ファン２１を通過した空気を吹出し口１２まで案内する。
【００２７】
室内熱交換器２０は、通風路を通る空気と冷媒との間で熱交換を行うものであり、ケーシング２５内部の通風路中に配置されている。室内熱交換器２０は、積層された複数のフィンと、フィンを貫通し冷媒が流れる伝熱管とによって構成されたフィンチューブ式の熱交換器である。室内熱交換器２０は、前端部および後端部が下方に向くように屈曲した形状を有しており、室内送風ファン２１の前方および上方を覆っている。
【００２８】
送風装置２６は、吸込み口１１から吸い込まれ通風路を通り吹出し口１２から吹き出される空気の流れを生成する装置であり、室内送風ファン２１と、室内ファンモータ２２とを有する。室内送風ファン２１は、長細い円筒形状に構成されたクロスフローファンであり、室内熱交換器２０よりも空気流れの下流側に配置されている。室内送風ファン２１は、室内ファンモータ２２によって回転駆動される。
【００２９】
加湿部２７は、通風路を通る空気を加湿するものであり、図１に示すように、加湿部材１４ａと、給排水部１５とを有している。
【００３０】
加湿部材１４ａは、図３および図４に示すように、透湿膜から形成され内部に水を貯留する袋状の形状を有している。より詳細に説明すると、加湿部材１４ａは、シート状の透湿膜が折り返され、上端部および一側端部が封止されることによって、封筒状に形成されており、平坦な外形を有している。なお、透湿膜とは、液体としての水は通さないが水蒸気を通す超撥水性多孔質膜であり、例えば、ポリエチレン、ポリプロピレン、ポリカーボネート、ポリエステル、フッ素樹脂などの疎水性高分子材料からなる多孔質膜からなる。加湿部材１４ａの側端下部には、加湿部材１４ａの内部から水を排出するための給排水口１６が設けられている。また、給排水口１６は、給排水部１５から加湿部材１４ａの内部に水を供給するためにも用いられる。加湿部材１４ａには、上述したガス配管２４の一部が挿入されており、加湿部材１４ａの内部に設けられ加湿部材１４ａ内に貯留された水を加熱する加熱部１７となっている。この加熱部１７は、加湿部材１４ａの内部でＵ字型に折り返された形状を有しており、室内熱交換器２０に送られるガス冷媒が通る。加熱部１７を流れるガス冷媒は高温になっているため、加熱部１７は、内部を流れるガス冷媒を利用して加湿部材１４ａ内に貯留された水を加熱することができる。また、加湿部材１４ａは、図２に示すように、通風路のうち室内熱交換器２０と室内送風ファン２１との間に位置しており、室内熱交換器２０より下流側であり且つ室内送風ファン２１よりも上流側に配置されている。加湿部材１４ａは、上下方向に概ね平行に配置されており、通風路を通る空気の流れの方向に概ね平行に配置されている。
【００３１】
図１に示す給排水部１５は、水道などの水源に接続され、水源から供給される水を加湿部材１４ａの給排水口１６を介して加湿部材１４ａの内部に供給することができる。また、給排水部１５は、加湿部材１４ａの内部に貯留された水を給排水口１６を介して室内機２ａの外部に排出することができる。
【００３２】
〔特徴〕
（１）
この空気調和機１の室内機２ａでは、透湿膜から形成された袋状の加湿部材１４ａの内部に水が貯留されている。また、加湿部材１４ａは通風路に配置されているため、加湿部材１４ａの周囲を空気が流れる。そして、加湿部材１４ａの内部の水が気化して水蒸気となると、加湿部材１４ａを透過して通風路に流れる。これにより、通風路を通る空気が加湿され、吹出し口１２から室内へ吹き出される。
【００３３】
ここで、加湿部材１４ａ内に貯留された水は、加熱部１７によって暖められるため、加湿部材１４ａからの加湿量が増大し、加湿能力が増大している。特に、この加熱部１７は、加湿部材１４ａ内に設けられているため、加湿部材１４ａ内の水と共に加湿部材１４ａを暖めることができる。これにより、この空気調和機１の室内機２ａでは、加湿部２７の温度の低下が抑えられ、加湿能力の低下が抑えられている。
【００３４】
（２）
この空気調和機１の室内機２ａでは、加湿部材１４ａが透湿膜のシートから構成されているため、加湿部材１４ａの外形を小さくすることが容易である。また、加湿部材１４ａが小型化されることにより、通風路を通る空気の圧損を低減することができる。さらに、加湿部材１４ａの構成が簡易であるため、製造コストを低減することができる。
【００３５】
なお、この空気調和機１の室内機２ａでは、加熱部１７によって加湿部材１４ａが暖められることにより加湿能力が向上している。このため、加湿部材１４ａが小型化されても必要な加湿量を十分に確保することができる。
【００３６】
（３）
この空気調和機１の室内機２ａでは、加熱部１７は、室内熱交換器２０に送られるガス冷媒の熱を用いて加湿部材１４ａ内の水を加熱することができる。このため、電気式のヒーターが別に設けられる場合と比べて、消費電力量を低減することができる。
【００３７】
なお、加熱部１７は、上記のように、加湿部材１４ａの内部で折り返された形状に限らず、図５および図６に示すように、直線的な形状であってもよい。
【００３８】
＜第２実施形態＞
本発明の第２実施形態に係る空気調和機１の室内機２ｂを図７に示す。この空気調和機１の室内機２ｂでは、通風路に複数の加湿部材１４ｂ−１４ｅが配置されており、これらの加湿部材１４ｂ−１４ｅは、全て、通風路において、室内熱交換器２０の下流であり且つ室内送風ファン２１よりも上流側に位置している。また、各加湿部材１４ｂ−１４ｅの内部には、加熱部がそれぞれ設けられている。なお、図７では、加熱部の符号を省略しているが、第１実施形態の加熱部１７と同様のものである。また、各加湿部材１４ｂ−１４ｅは、第１実施形態の加湿部材１４ａと同様の構造である。
【００３９】
具体的には、この空気調和機１の室内機２ｂには、第１加湿部材１４ｂ、第２加湿部材１４ｃ、第３加湿部材１４ｄ、第４加湿部材１４ｅが備えられている。これらの加湿部材１４ｂ−１４ｅのうち、第１加湿部材１４ｂは、他の加湿部材１４ｃ−１８ｅよりも大きな外形を有しており、内部に貯留可能な水量も他の加湿部材１４ｃ−１８ｅよりも大きくなっている。また、第１加湿部材１４ｂ、第２加湿部材１４ｃ、第３加湿部材１４ｄ、第４加湿部材１４ｅは、通風路を流れる空気の流れに概ね平行に配置されている。
【００４０】
他の構造については、第１実施形態の空気調和機１の室内機２ａと同様である。
【００４１】
この空気調和機１の室内機２ｂにおいても、上記の実施形態に係る空気調和機１の室内機２ａと同様の効果を奏することができる。また、複数の加湿部材１４ｂ−１４ｅが配置されることにより、加湿量を増加させると共に、室内機１ｂ内の小さな空間に加湿部材１４を配置することができる。また、通風路中の空気抵抗が増大することを抑えることができ、空気の圧損を低減することができる。
【００４２】
＜第３実施形態＞
本発明の第３実施形態に係る空気調和機１の室内機２ｃを図８に示す。この空気調和機１の室内機２ｃでは、通風路に複数の加湿部材１４ｆ−１４ｊが配置されており、これらの加湿部材１４ｆ−１４ｊは、通風路において、室内熱交換器２０の下流であり且つ室内送風ファン２１よりも上流側と、室内送風ファン２１よりも下流側とに分かれて配置されている。また、各加湿部材１４ｆ−１４ｊの内部には加熱部がそれぞれ設けられている。なお、図８では、加熱部の符号を省略しているが、上記の実施形態に係る加熱部１７と同様のものである。また、各加湿部材１４ｆ−１４ｊは、第１実施形態の加湿部材１４ａと同様の構造である。
【００４３】
具体的には、この空気調和機１の室内機２ｃには、第１加湿部材１４ｆ、第２加湿部材１４ｇ、第３加湿部材１４ｈ、第４加湿部材１４ｉ、第５加湿部材１４ｊが備えられている。第１加湿部材１４ｆ、第２加湿部材１４ｇ、第３加湿部材１４ｈは、通風路において、室内熱交換器２０の下流であり且つ室内送風ファン２１よりも上流側に設けられている。第４加湿部材１４ｉ、第５加湿部材１４ｊは、室内送風ファン２１よりも下流側に設けられている。すなわち、室内送風ファン２１より上流側に配置される加湿部材１４ｆ−１９ｈの方が、室内送風ファン２１より下流側に配置される加湿部材１４ｉ，１９ｊよりも多くなっている。また、第１加湿部材１４ｆと第２加湿部材１４ｇと第３加湿部材１４ｈとの加湿量の合計は、第４加湿部材１４ｉと第５加湿部材１４ｊとの加湿量の合計よりも大きい。
【００４４】
他の構造については、第１実施形態の空気調和機１の室内機２ａと同様である。
【００４５】
この空気調和機１の室内機２ｃにおいても、上記の実施形態に係る空気調和機１の室内機２ａ，２ｂと同様の効果を奏することができる。
【００４６】
＜第４実施形態＞
本発明の第４実施形態に係る空気調和機１の室内機２ｄを図９に示す。この空気調和機１の室内機２ｄでは、第１加湿部材１４ｋと、第２加湿部材１４ｌとが設けられている。第１加湿部材１４ｋは、第１実施形態の加湿部材１４ａと同様に、通風路において室内熱交換器２０の下流側であり且つ室内送風ファン２１よりも上流側に配置されている。第２加湿部材１４ｌは、スクロール部１３に埋設されており、第２加湿部材１４ｌの表面は、通風路の壁面を構成するスクロール部１３の表面と滑らかに連続している。第２加湿部材１４ｌの表面は通風路に面しており、通風路の壁面の一部を構成している。また、第１加湿部材１４ｋと第２加湿部材１４ｌの内部には、加熱部１７が設けられている。なお、図９では、加熱部１７の一部のみに符号を付して他は省略している。
【００４７】
他の構造については、第１実施形態の空気調和機１の室内機２ａと同様である。
【００４８】
この空気調和機１の室内機２ｄにおいても、上記の実施形態に係る空気調和機１の室内機２ａ−２ｃと同様の効果を奏することができる。また、第２加湿部材１４ｌは、スクロール部１３に埋設されており、第２加湿部材１４ｌの表面が通風路の壁面の一部を構成しているため、スクロール部１３の空気抵抗をさらに低減することができる。
【００４９】
＜他の実施形態＞
（ａ）
上記の実施形態では、壁掛け型の空気調和機１の室内機２ａ−２ｄに対して本発明が適用されているが、天井埋込型や床置き型などの他の形態の空気調和機の室内機に対しても本発明が適用可能である。
【００５０】
（ｂ）
上記の実施形態では、水源として水道が用いられているが、給湯器など加湿に適した水質を確保できるものであれば他のものも利用可能である。
【００５１】
（ｃ）
加湿部材１４ａからの排水を効率よく行うためには、図１０に示すように、加湿部材１４ａが水平方向（図１０の２点鎖線Ｈ参照）に対して傾斜して配置されるとよい。この場合、給排水口１６が設けられた方の加湿部材１４ａの側端部が、反対側の側端部よりも下方に位置するように、加湿部材１４ａが傾斜して配置される。
【００５２】
（ｄ）
加湿部材１４ａから漏れた水の処理のために、図１１に示すように、加湿部材１４ａの下端部に水を吸収する吸水部材５２が設けられるとよい。この吸水部材５２は、加湿部材１４ａの下端部に沿って設けられている。吸水部材５２は、布などの繊維系材料やスポンジなどの発泡性材料で形成されており、高い吸水性を有すると共に、その表面からの水の蒸発が可能である。このため、吸水部材５２に吸収された水が蒸発することにより、通風路を通る空気に水蒸気を供給することができる。
【００５３】
（ｅ）
上記の実施形態に係る空気調和機１の室内機２ａにおいて、加湿部材１４ａの温度を検知する温度検出部が設けられ、温度検出部が検出した温度情報に基づいて加湿部材１４ａの熱劣化を抑えるように加熱部１７が制御されてもよい。
【００５４】
また、加熱部１７による加熱量を調整する制御部が設けられ、制御部により加湿部材１４ａからの加湿量が制御されてもよい。
【００５５】
（ｆ）
上記の実施形態に係る空気調和機１の室内機２ａにおいて、加湿部材１４ａの変形を抑えるリブなどの補強部材が設けられてもよい。これにより、水圧によって加湿部材１４ａが変形することが抑えられる。なお、補強部材としてリブが設けられる場合、通風路を通る空気の流れに沿った形状のリブが用いられることが望ましい。この場合、通風路を通る空気においてリブによる圧損が生じることを抑えることができる。
【００５６】
（ｇ）
上記の実施形態では、暖房運転時において室内熱交換器２０に流入する前のガス冷媒が流れるガス配管２４が加熱部１７として用いられているが、他の冷媒配管が加熱部１７として用いられてもよい。ただし、大きな加熱量を確保する観点からは、上記のようにガス配管２４が用いられることが望ましい。
【００５７】
（ｈ）
上記の実施形態では、加湿部材１４ａが室内熱交換器２０より下流側に配置されているが、室内熱交換器２０より上流側に配置されてもよい。ただし、暖房運転時において室内熱交換器２０で加熱された空気により加湿部材１４ａを加熱して加湿量を増大させるためには、上記のように、加湿部材１４ａが室内熱交換器２０より下流側に配置されることが望ましい。
【産業上の利用可能性】
【００５８】
本発明は、加湿能力の低下を抑えることができる効果を有し、空気調和機の室内機として有用である。
【図面の簡単な説明】
【００５９】
【図１】空気調和機の全体構成を示す冷媒回路図。
【図２】第１実施形態に係る室内機の側面断面図。
【図３】加湿部材および加熱部を示す図。
【図４】図３における断面図。
【図５】加湿部材および加熱部の他の構成例を示す図。
【図６】図５における断面図。
【図７】第２実施形態に係る室内機の側面断面図。
【図８】第３実施形態に係る室内機の側面断面図。
【図９】第４実施形態に係る室内機の側面断面図。
【図１０】他の実施形態に係る加湿部材を示す図。
【図１１】他の実施形態に係る加湿部材の断面図。
【符号の説明】
【００６０】
２ａ−２ｄ      空気調和機の室内機
１４ａ−１４ｌ  加湿部材
１６            給排水口（排水口）
１７            加熱部
２０            室内熱交換器（熱交換器）
２１            室内送風ファン（送風ファン）
２５            ケーシング
５２            吸水部材
【図１】
2008241060.tif 000003
【図２】
2008241060.tif 000004
【図３】
2008241060.tif 000005
【図４】
2008241060.tif 000006
【図５】
2008241060.tif 000007
【図６】
2008241060.tif 000008
【図７】
2008241060.tif 000009
【図８】
2008241060.tif 000010
【図９】
2008241060.tif 000011
【図１０】
2008241060.tif 000012
【図１１】
2008241060.tif 000013